(57)【要約】【課題】ねじを用いることなくランプソケットを固定することができる照明器具を提供する。【解決手段】蛍光ランプを接続保持するランプソケット３は、器具本体１の引掛孔１６の周縁に引掛係止される引掛爪３６がソケット本体３１の上面から突設されている。また、ランプソケット３は、絶縁板８から突設された保持突起８３の先端部に設けられた保持フック８３ａが係合するロック部３９がソケット本体３１の絶縁板８側の端部に設けられている。ロック部３９は、ソケット本体３１の絶縁板８側の端部に形成された固定用凹部３７の絶縁板８側の側壁により構成される。引掛爪３６を引掛孔１６に挿入した後に、ランプソケット３を器具本体１の中心に近づく向きへスライドさせると、引掛爪３６が引掛孔１６の周縁に引掛係止されるとともに、保持フック８３ａをロック部３９に係合する。【選択図】　　　図１
2004134125.tif 000002
【特許請求の範囲】
【請求項１】
天井のような施工面に対向する形で取着される器具本体と、器具本体における施工面とは反対側に配設されランプを点灯させる点灯装置と、器具本体と点灯装置との間に配設される絶縁板と、器具本体における施工面とは反対側に配設されランプを接続保持するランプソケットとを備え、ランプソケットは、器具本体において絶縁板に重ならない部位に形成された引掛孔に挿入され引掛孔の周縁に引掛係止される引掛爪が上面から突設され、且つ、絶縁板から側方に突出した保持突起の先端部に設けられた保持フックが係合するロック部が絶縁板側の端部に設けられてなることを特徴とする照明器具。
【請求項２】
前記器具本体における施工面とは反対側に前記絶縁板および前記点灯装置を覆うように配設され前記ランプソケットの一部を露出させる露出孔が形成された反射板を備え、前記ランプソケットは、反射板における前記器具本体側で露出孔の周部に当接する鍔部が突設されてなることを特徴とする請求項１記載の照明器具。
【発明の詳細な説明】
【０００１】
【発明の属する技術分野】
本発明は、照明器具に関するものである。
【０００２】
【従来の技術】
従来から、天井のような施工面に対向する形で取着される器具本体と、器具本体の下面側に配設され器具本体に結合される反射板と、器具本体と反射板との間に配置され蛍光ランプを点灯させるインバータ回路などを含む電子式安定器からなる点灯装置とを備えた照明器具が知られている。ここにおいて、点灯装置は、プリント基板のような回路基板に回路部品を実装して構成してあり、この回路基板には、蛍光ランプを接続保持するランプソケットが実装されている（例えば、特許文献１〜３）。なお、出願人は、上記構成の照明器具において、ランプソケットを回路基板にねじを用いて結合していた。
【０００３】
【特許文献１】
特開２００１−７６５３０号公報（第３頁、図１、図５）
【特許文献２】
特開２００１−７６５３１号公報（第３頁、図１、図３）
【特許文献３】
特開２００１−７６５１８号公報（第３頁、図３、図５）
【０００４】
【発明が解決しようとする課題】
しかしながら、上記従来構成の照明器具ではランプソケットをねじを用いて回路基板に結合していたので、部品点数が多くなるとともに、組立作業が面倒になるという不具合があった。
【０００５】
本発明は上記事由に鑑みて為されたものであり、その目的は、ねじを用いることなくランプソケットを固定することができる照明器具を提供することにある。
【０００６】
【課題を解決するための手段】
請求項１の発明は、上記目的を達成するために、天井のような施工面に対向する形で取着される器具本体と、器具本体における施工面とは反対側に配設されランプを点灯させる点灯装置と、器具本体と点灯装置との間に配設される絶縁板と、器具本体における施工面とは反対側に配設されランプを接続保持するランプソケットとを備え、ランプソケットは、器具本体において絶縁板に重ならない部位に形成された引掛孔に挿入され引掛孔の周縁に引掛係止される引掛爪が上面から突設され、且つ、絶縁板から側方に突出した保持突起の先端部に設けられた保持フックが係合するロック部が絶縁板側の端部に設けられてなることを特徴とするものであり、ねじを用いることなくランプソケットを固定することができる。すなわち、照明器具の組立時にはランプソケットの引掛爪を引掛孔に挿入してランプソケットを器具本体の下面に沿ってスライドさせ保持フックをロック部に係合させることにより、ランプソケットは器具本体と絶縁板とで保持されることになるから、ねじを用いてランプソケットを固定する場合に比べて、部品点数を削減することができるとともに、組立作業が容易になるという利点がある。
【０００７】
請求項２の発明は、請求項１の発明において、前記器具本体における施工面とは反対側に前記絶縁板および前記点灯装置を覆うように配設され前記ランプソケットの一部を露出させる露出孔が形成された反射板を備え、前記ランプソケットは、反射板における前記器具本体側で露出孔の周部に当接する鍔部が突設されているので、前記ランプソケットをより安定して固定することができる。
【０００８】
【発明の実施の形態】
以下、本実施形態の照明器具について図１〜図７を参照しながら説明する。
【０００９】
本実施形態の照明器具は、施工面としての天井に固定されている引掛シーリングのような配線器具９０（図２および図５参照）に取り付けられるものであり、配線器具９０に結合される取付アダプタ１０と、円板状に形成され天井下面に対向する形で配置される金属製の器具本体１と、器具本体１の下面側に複数本の固定ねじ４５を用いて結合される反射板４と、反射板４の下方に配置されるランプとしての円環形の２本の蛍光ランプＬａと、器具本体１と反射板４との間に配置され蛍光ランプＬａを点灯させる電力を供給する点灯装置２と、蛍光ランプＬａおよび反射板４を覆うように器具本体１に取り付けられるドーム状のグローブ５（図７参照）とを備えている。反射板４は板金により中央部が周部よりも下方に位置する椀状に形成されている。なお、上述の配線器具９０は、引掛シーリングに限らず、いわゆる引掛埋込ローゼットでもよい。
【００１０】
点灯装置２はインバータ回路などを含む電子式安定器であって、プリント基板からなる回路基板２１に回路部品を実装して構成してある。すなわち、低周波の商用電源を高周波電力に電力変換して蛍光ランプＬａを高周波で点灯させるように構成されている。この種の電子式安定器は、チョークコイルのような銅鉄型の安定器を用いた点灯装置に比較すると軽量化が容易である。また、回路基板２１には、２本の蛍光ランプＬａを接続保持するランプソケット（以下、第１のランプソケットと称す）３がランプ線（図示せず）を介して接続されている。第１のランプソケット３については後述する。
【００１１】
また、回路基板２１の下面には、豆球（図示せず）を接続保持するランプソケット（以下、第２のランプソケットと称す）２３、点灯状態を切り換えるためのスイッチ２４も実装されている。スイッチ２４はプルスイッチであって、図７に示すように操作部としての引き紐２４ａが設けられている。なお、引き紐２４ａは器具本体１の上面側に取り付けたＶ字状のガイド２５の先端部に通されており、引き紐２４ａを引くたびに、蛍光ランプＬａを高出力で点灯させる状態、蛍光ランプＬａを低出力で点灯させる状態、豆球が点灯する状態、消灯状態を循環的に切り換えることができる。
【００１２】
また、回路基板２１には、取付アダプタ１０に電気的に接続するためのコネクタ（以下、第１のコネクタと称す）９ａを先端に設けた電源線９も接続されている。なお、電源線９は、配線器具９０および取付アダプタ１０を介して商用電源から点灯装置２に電力を供給するために設けられている。
【００１３】
取付アダプタ１０は、円筒状のアダプタ本体１０ａの上面に一対の引掛栓刃（図示せず）が突設されたものであり、アダプタ本体１０ａは器具本体１の下面側に配設された合成樹脂製の絶縁板８の中心部において下面側に突出する筒部８１および絶縁板８の下面側に配設される円筒状の筒部材６に挿入される。筒部材６は合成樹脂製であって、複数本の結合ねじ６５を用いて絶縁板８に結合されている。ここに、筒部材６は、上端部から外鍔６ａが突設されており、外鍔６ａには結合ねじ６５を挿通する挿通孔６ｂが形成されている。引掛栓刃は周知のように先端部がＬ字状に折曲された栓刃であって、取付アダプタ１０の引掛栓刃を配線器具９０の栓刃挿入口に挿入した後にアダプタ本体１０ａを回転させると、配線器具９０に対して機械的に結合されるとともに電気的に接続される。アダプタ本体１０ａの外周面には、進退自在に突出する係合片１０ｂがアダプタ本体１０ａの直径方向および上下方向に並んで設けられており、筒部材６には、下側の係合片１０ｂが係脱自在に係合する受け部６１（図５（ａ）参照）が形成されており、係合片１０ｂを受け部６１に係合させることによって、器具本体１が取付アダプタ１０に結合される。
【００１４】
係合片１０ｂは突出向きにばね付勢されており、アダプタ本体１０ａの下面から突出した一対の操作つまみ１０ｃをばね力に抗して操作すると、係合片１０ｂが受け部６１から外れて取付アダプタ１０から器具本体１を外すことができるようにしてある。さらに、アダプタ本体１０ａの下面中央部には電源線９の一端に設けた第１のコネクタ９ａが着脱可能に接続されるコネクタ（以下、第２のコネクタと称す）１０ｄが設けられている。第２のコネクタ１０ｄは引掛栓刃に電気的に接続されており、取付アダプタ１０を配線器具９０に結合した状態で第２のコネクタ１０ｄに第１のコネクタ９ａが接続されると商用電源から点灯装置２に電源が供給される。
【００１５】
ところで、反射板４の周縁部には外鍔４ａが突設されており、外鍔４ａには上述の固定ねじ４５を挿通する挿通孔４１が形成されている。また、反射板４の中央部は平板状であって筒部材６内に位置する取付アダプタ１０の下面を露出させる円形の露出孔４ｂが設けられている。反射板４において平板状に形成された中央部分と外鍔４ａとの間の傾斜部分にはそれぞれ２本の蛍光ランプＬａを支持する２つのランプ支持ばね７それぞれを露出させる２つの露出孔４ｄ、第１のランプソケット３の一部を露出させる露出孔４ｃなどが設けられている。また、反射板４には、第２のランプソケット２３が臨む露出孔４ｅ、電源線９を通すための切欠部４ｆも設けられている。ランプ支持ばね７は、絶縁板８に取付ねじ７７を用いて結合されるものであり、絶縁板８の下面側にはランプ支持ばね７が挿入される絶縁壁８２が形成されている。ここに、ランプ支持ばね７は、第１のランプソケット３を一端側とする器具本体１の直径方向の他端側において器具本体１の周方向に離間して配置されている。なお、ランプ支持ばね７は、それぞれ蛍光ランプＬａを保持するＣ字状の保持片７２，７２の一端同士がばね片７１により連結されている。
【００１６】
さらに、反射板４の中央部において平板状に形成された部位には、図示しないリモコン発信器から送信されるリモコン信号（赤外線を伝送媒体とする無線信号）を受信し、点灯装置２を制御して蛍光ランプＬａおよび豆球の点灯状態を切り換えるリモコン受信器（図示せず）が挿通される露出孔（図示せず）も設けてある。
【００１７】
上述した反射板４は点灯装置２の回路基板２１を覆うように配置され、また、回路基板２１は絶縁板８の下面に突設した係止爪（図示せず）により絶縁板８に保持されており、絶縁板８の下面に突設した突部（図示せず）により絶縁板８と離間して配置されている。ここに、器具本体１に反射板４を結合した状態では、第１のランプソケット３の一部が露出孔４ｃを通して反射板４の下面側に突出し、第１のランプソケット３に接続保持される蛍光ランプＬａと器具本体１との間に反射板４が配置されることになる。露出孔４ｅに臨んで位置する第２のランプソケット２３には反射板４の下面側から豆球が挿入される。
【００１８】
グローブ５は、図７に示すように、アクリル樹脂のような透光性を有する合成樹脂によって上面に円形状の開口を有するドーム状に形成され、開口の周縁には全周に亙って口筒５ａが立設されている。口筒５ａの内周面には口筒５ａの高さ寸法よりも高さ寸法の小さい複数個（本実施形態では６個）の係止爪５ｂが所定間隔で突設されている。器具本体１の下面周部にはグローブ５の係止爪５ｂが嵌合可能な受け部材１２が取り付けられている。受け部材１２は器具本体１の周方向に沿って略等間隔で配置されている。ここに、受け部材１２は固定ねじ１４（図４参照）により器具本体１に結合されている。受け部材１２は器具本体１の下面との間でグローブ５の係止爪５ｂを保持するものであって、器具本体１の下面側周部にグローブ５の口筒５ａの上縁を当接させた状態でグローブ５を器具本体１に対して回転させると、係止爪５ｂが受け部材１２と器具本体１の下面との間に挿入されることで、グローブ５を保持する形状に形成されている。したがって、グローブ５を反対方向に回転させると係止爪５ｂが受け部材１２から抜けてグローブ５を器具本体１から取り外すことができる。なお、円板状の器具本体１は、外周縁の全周に亘って下方へ突出する周壁１５が一体成形されているので、周壁１５が設けられていることによって剛性を高めることができる。
【００１９】
ところで、第１のランプソケット３は、蛍光ランプＬａの口金が嵌め込まれ蛍光ランプＬａを接続保持する２つのソケット部３２が設けられた合成樹脂製のソケット本体３１が、器具本体１の中心を通る１つの仮想直線の延長方向（つまり、器具本体１の直径方向）を長手方向として配置される。ここに、第１のランプソケット３は、上記仮想直線上に形成された引掛孔１６の周縁に引掛係止される引掛爪３６がソケット本体３１における長手方向の中間部の上面から突設されている。また、第１のランプソケット３は、絶縁板８の外周縁から段差部８４（図３参照）を介して上記仮想直線に沿って側方に突出した保持突起８３の先端部に設けられた保持フック８３ａが係合するロック部３９（図３参照）がソケット本体３１の絶縁板８側の端部（図３における右端部）に設けられている。ここに、引掛爪３６は、ソケット本体３１の上面から上方へ突出する部分と、その部分の先端から器具本体１の中心に近づく向き（つまり、引掛爪３６とロック部３９との並設方向においてロック部３９に近づく向き）に突出する部分とを有する逆Ｌ字状の形状に形成されている。また、保持突起８３は、引掛孔１６に近づく向きに突出し先端部に下方に突出する保持フック８３ａが設けられている。また、ロック部３９は、ソケット本体３１の絶縁板８側の端部に形成された固定用凹部３７の絶縁板８側の側壁により構成されている。ここに、ロック部３９の上端部には、保持フック８３ａを固定用凹部３７へ導入する際に保持フック８３ａを固定用凹部３７へ誘導するために、絶縁板８に近づくほど器具本体１の下面からの距離が大きくなるように傾斜した誘導面３９ａ（図３参照）が形成されている。
【００２０】
なお、絶縁板８は、器具本体１に連結ねじ（図示せず）を用いて結合してあるが、連結ねじを用いる代わりに、器具本体１に係合穴を設けるとともに絶縁板８に係合穴に係合する係合突起を設けて器具本体１に結合するようにしてもよい。
【００２１】
したがって、絶縁板８が結合された器具本体１へ第１のランプソケット３を取り付けるに際しては、引掛爪３６を引掛孔１６に挿入した後に、第１のランプソケット３を器具本体１の中心に近づく向き（図２中の矢印Ｂの向き）へスライドさせると、引掛爪３６が引掛孔１６の周縁に引掛係止されるとともに、保持突起８３が撓みながら保持フック８３ａがロック部３９の誘導面３９ａによって固定用凹部３７に追い込まれ、保持フック８３ａをロック部３９に容易に係合させることができる。その結果、第１のランプソケット３が器具本体１と絶縁板８とで保持されることになる。
【００２２】
また、第１のランプソケット３は、反射板４における器具本体１側で露出孔４ｃの周部に当接する鍔部３８（図２および図３参照）がソケット本体３１の幅方向の両側面から突設されており、反射板４を器具本体１に結合することにより下方向への第１のランプソケット３の移動が禁止されるようになっている。
【００２３】
しかして、本実施形態の照明器具では、器具本体１において絶縁板８に重ならない部位に形成された引掛孔１６に挿入され引掛孔１６の周縁に引掛係止される引掛爪３６が第１のランプソケット３の上面から突設され、且つ、絶縁板８から側方に突出した保持突起８３の先端部に設けられた保持フック８３ａが係合するロック部３９が第１のランプソケット３の絶縁板８側の端部に設けられているので、ねじを用いることなく第１のランプソケット３を固定することができる。すなわち、照明器具の組立時には第１のランプソケット３の引掛爪３６を引掛孔１６に挿入して第１のランプソケット３を器具本体１の下面に沿ってスライドさせ保持フック８３ａをロック部３９に係合させることにより、第１のランプソケット３は器具本体１と絶縁板８とで保持されることになるから、上記従来構成のようにねじを用いてランプソケットを固定する場合に比べて、部品点数を削減することができるとともに、組立作業が容易になる。
【００２４】
また、第１のランプソケット３は、反射板４における器具本体１側で露出孔４ｃの周部に当接する鍔部３８がソケット本体３１の幅方向の両側面から突設されているので、第１のランプソケット３をより安定して固定することができる。
【００２５】
【発明の効果】
請求項１の発明は、上記目的を達成するために、天井のような施工面に対向する形で取着される器具本体と、器具本体における施工面とは反対側に配設されランプを点灯させる点灯装置と、器具本体と点灯装置との間に配設される絶縁板と、器具本体における施工面とは反対側に配設されランプを接続保持するランプソケットとを備え、ランプソケットは、器具本体において絶縁板に重ならない部位に形成された引掛孔に挿入され引掛孔の周縁に引掛係止される引掛爪が上面から突設され、且つ、絶縁板から側方に突出した保持突起の先端部に設けられた保持フックが係合するロック部が絶縁板側の端部に設けられてなるものであり、ねじを用いることなくランプソケットを固定することができるという効果がある。すなわち、照明器具の組立時にはランプソケットの引掛爪を引掛孔に挿入してランプソケットを器具本体の下面に沿ってスライドさせ保持フックをロック部に係合させることにより、ランプソケットは器具本体と絶縁板とで保持されることになるから、ねじを用いてランプソケットを固定する場合に比べて、部品点数を削減することができるとともに、組立作業が容易になるという利点がある。
【００２６】
請求項２の発明は、請求項１の発明において、前記器具本体における施工面とは反対側に前記絶縁板および前記点灯装置を覆うように配設され前記ランプソケットの一部を露出させる露出孔が形成された反射板を備え、前記ランプソケットは、反射板における前記器具本体側で露出孔の周部に当接する鍔部が突設されているので、前記ランプソケットをより安定して固定することができるという効果がある。
【図面の簡単な説明】
【図１】実施形態を示す要部概略分解斜視図である。
【図２】同上を示す要部概略断面図である。
【図３】同上を示し、図２の要部拡大図である。
【図４】同上を示す要部概略下面図である。
【図５】同上を示し、（ａ）は要部概略断面図、（ｂ）は要部概略下面図である。
【図６】同上を示し、（ａ）は要部概略正面図、（ｂ）は要部概略下面図である。
【図７】同上を示す概略分解斜視図である。
【符号の説明】
１　器具本体
２　点灯装置
３　ランプソケット
４　反射板
５　グローブ
７　ランプ支持ばね
８　絶縁板
１６　引掛孔
３１　ソケット本体
３６　引掛爪
３７　固定用凹部
３８　鍔部
３９　ロック部
３９ａ　誘導面
８３　保持突起
８３ａ　保持フック
８４　段差部
【図１】
2004134125.tif 000003
【図２】
2004134125.tif 000004
【図３】
2004134125.tif 000005
【図４】
2004134125.tif 000006
【図５】
2004134125.tif 000007
【図６】
2004134125.tif 000008
【図７】
2004134125.tif 000009